(57)【要約】      （修正有）【課題】汎用インターネット接続が可能なカラオケ装置において、汎用インターネット接続環境とカラオケ環境を分離しセキュリティを保持しつつ、ハードウエアの冗長構成を防いでコストダウンを図る。【解決手段】複数のＣＰＵ１、２を備え、カラオケ演奏時およびインターネット閲覧時に、それぞれ最適化された分散処理を行うマルチプロセッサシステムにおいて、それぞれのＣＰＵ１、２が別箇のネットワークアドレスを保持し、カラオケ演奏時と汎用インターネット閲覧時でネットワークアドレス使い分けて接続する。【選択図】図１
2015045769.tif 000002
【特許請求の範囲】
【請求項１】
専用ネットワークに接続された通信カラオケサーバと、汎用インターネットの双方にアクセスできるローカルエリアネットワークに接続され、
通信カラオケ機能および汎用インターネット閲覧機能の双方が具備された端末から構成されるシステムにおいて、
複数のＣＰＵを備え、カラオケ演奏時および汎用インターネット利用時に、
それぞれ最適化された分散処理を行い、
少なくとも２つのＣＰＵが別箇のネットワークアドレスを保持し、カラオケ演奏時にはひとつのＣＰＵのネットワークアドレスよりカラオケサーバに接続し、
汎用インターネット利用時には別のＣＰＵのネットワークアドレスより汎用インターネットに接続する
ことを特徴とするカラオケインターネット端末。
【発明の詳細な説明】
【技術分野】
【０００１】
本発明は、通信カラオケ端末装置に関し、特に通信カラオケと汎用インターネット利用のようなサービスが共存する通信カラオケインターネットシステムに関する。
【背景技術】
【０００２】
近年の通信カラオケシステムは、インターネットを利用してカラオケサーバより楽曲データや各種データの受信を行っているのが一般的であるため、当然のことながらインターネット接続機能を有しているものが多い。
【０００３】
しかし、インターネットに接続されているにもかかわらず、Ｗｅｂブラウジング等の汎用インターネット機能を享受することができない。これは、カラオケ機能に特有な著作権のある楽曲データを扱っている為、汎用インターネット接続環境からは一線を画す必要があるためである。
【０００４】
通信カラオケと汎用インターネットの双方をサポートするカラオケ端末装置は、カラオケサーバという閉じたネットワークと汎用インターネットという開かれたネットワークの双方に接続されるため、特に通信カラオケに関する業務用に著作権処理を施したコンテンツが、個人利用を前提とした汎用インターネットに流出することは防がなければならない。
【０００５】
掲記のような汎用インターネット接続機能を有する通信カラオケシステムにおいては、上記のようなセキュリティを重視するため、通信カラオケ機能と汎用インターネット機能を別々のハードウエアにより実現するのが最も一般的であり、このため、ハードウエアが冗長構成となりコストが高くなりがちである。
【０００６】
通信カラオケ端末装置と、カラオケサーバとの通信内容は、著作権処理を施したコンテンツや、会員に特化した情報が多い。一方汎用インターネットは原則としてどこからでもアクセスされることがあり、時にはネットワークウィルスに感染したり、ハッカー等の攻撃を受けてコンテンツや情報が漏えいすることも想定される。そのため、汎用インターネット接続環境とカラオケ環境は分離しておくことが望ましい。
【先行技術文献】
【特許文献】
【０００７】
【特許文献１】特許3893668号公報
【特許文献２】特開2005-055627号公報
【発明の概要】
【発明が解決しようとする課題】
【０００８】
特許文献１は、カラオケ演奏と背景映像を再生する処理を別々のＣＰＵで分担している例である。この特許は飲食店やカラオケボックス等で提供されるカラオケ曲等の背景映像に使用可能な映像を再生する映像再生装置に関し、カラオケ装置を制御するＣＰＵ１が、入力手段から利用者情報が入力されたことを検知すると、ハードディスクドライブに記憶された対応テーブルを参照し、識別情報を取得し、その識別情報を映像装置を制御するＣＰＵ２に送信し、ＣＰＵ２は、ＤＶＤドライブを駆動させ、対応する映像データを読み出し、モニタに出力するというものである。
利用者の情報を考慮して、より利用者の興味等に応じた映像の再生が可能となる映像再生装置を提供することを目的とする。
【０００９】
しかし、特許文献１において背景映像再生機能とカラオケ機能を実現するに当たり、複数の機器を単純に組合せており、コンポーネントの共通化等による低コスト化へのアプローチは行われていない。
【００１０】
特許文献２は、カラオケ演奏の合間にインターネットラジオ局を接続し、ＢＧＭとして利用するというものである。あるリクエスト曲の再生が終了してから次のリクエスト曲の再生が開始されるまでの間に流されるＢＧＭにおいて、カラオケ楽曲と同じジャンルのインターネットラジオ局を接続することにより、カラオケ演奏の合間にカラオケ楽曲と曲調が近いＢＧＭが流されるので、その場の当事者が違和感を覚えることがなくなり、その結果、カラオケをより快適に楽しむことができる。また、端末にＢＧＭを蓄積しておく必要がなくなり、端末構成の簡略化が図れる。また、常に最新の曲をＢＧＭとして流すことができるというものである。
【００１１】
この構成では、カラオケ演奏をしていないときに、カラオケ演奏と同じ端末構成で汎用インターネット接続を行うため、ハードウエアの冗長性は回避できる。しかし、同一のＣＰＵで処理している為、インターネットからの悪意あるアクセスがあった場合、脆弱性は否めない。
【００１２】
本発明においては、通信カラオケと汎用インターネットで複数のＣＰＵを使いわけ、通信カラオケにおける専用サーバとの接続、背景映像の再生、歌詞テロップの表示、カラオケ音声の再生、マイク音声の増幅加工、汎用インターネット接続およびコンテンツの表示・再生に関わる複数のタスクを、セキュリティを守りつつ共通のコンポーネントで処理することで物理的冗長性を回避する事を目的とする。
【課題を解決するための手段】
【００１３】
請求項１記載の本発明におけるカラオケシステムは、専用ネットワークに接続された通信のカラオケサーバと、汎用インターネットの双方に接続された複数のＣＰＵを備え、例えばカラオケモードの時は、ＣＰＵ１で通信カラオケ接続処理、カラオケ演奏処理を行い、ＣＰＵ２でマイク入力処理、マイク音声の増幅加工処理を行い、汎用インターネットモードの時には、ＣＰＵ１でＷｅｂサイト内の画像・映像の表示、再生処理を行い、ＣＰＵ２で汎用インターネット接続処理およびマイク入力処理を行うように最適化された分散処理を行うマルチプロセッサカラオケシステムにおいて、
それぞれのＣＰＵが別箇のネットワークアドレスを保持し、カラオケ演奏時にはひとつのＣＰＵのネットワークアドレスよりカラオケサーバに接続し、汎用インターネット利用時には別のＣＰＵのネットワークアドレスよりインターネットに接続することを特徴としている。
【発明の効果】
【００１４】
通信カラオケ機能と汎用インターネット接続機能を、別々のネットワークアドレスを付与したＣＰＵで実現することで、両機能の独立性を維持し相互のセキュリティを実現しながら、他のコンポーネントやリソースを渾然一体に利用することで、ハードウエアコストを削減しコストパフォーマンスに優れた通信カラオケシステムを提供できる。
【図面の簡単な説明】
【００１５】
【図１】本発明の一実施例によるネットワーク接続を示すブロック図。
【図２】本発明の一実施例による通信カラオケ演奏時のブロック図。
【図３】本発明の一実施例による汎用インターネット使用時のブロック図。
【発明を実施するための形態】
【００１６】
以下に本発明の請求項１の実施例を示す。
図１において、カラオケ装置３はＬＡＮ５を経由してカラオケ専用のＶＰＮ６と汎用インターネット７に接続されている。カラオケ装置３にはＣＰＵ１とＣＰＵ２が実装されている。ここでＣＰＵ１側にはＩＰアドレスとして、‘192.168.1.2’が割り当てられ、ＣＰＵ２側にはＩＰアドレスとして、‘192.168.1.3’が割り当てられている。
カラオケ演奏時には、図２のようにＣＰＵ１は映像を中心とするカラオケ処理、ＣＰＵ２は音声を中心とするオーディオ処理が行われ、カラオケ専用ＶＰＮへ接続に際してはＣＰＵ１がもつＩＰアドレスである、‘192.168.1.2’で接続され、ＣＰＵ２のもつＩＰアドレスはカラオケ専用ＶＰＮからは認識されない。
一方、汎用インターネット接続に際しては、図３のようになり、ＣＰＵ１は画像、映像系の処理を分担し、ＣＰＵ２が通信機能、オーディオ処理を行なう。このときネットワーク接続に使用されるＩＰアドレスはＣＰＵ２の‘192.168.1.3’となる。
【符号の説明】
【００１７】
１…ＣＰＵ
２…ＣＰＵ
３…カラオケインターネット端末
４…ルータ
５…ＬＡＮ
６…カラオケ用ＶＰＮ
７…汎用インターネット
８…ＲＯＭ
９…ＲＡＭ
１０…ＨＤＤ
１１…音源
１２…ＣＯＤＥＣ
１３…ミキサ
１４…スピーカ
１５…マイク
１６…モニタ
１７…ミキサ
１８…カラオケカメラ
【図１】
2015045769.tif 000003
【図２】
2015045769.tif 000004
【図３】
2015045769.tif 000005